(57)【要約】【課題】２種類以上の梱包対象物を好適に梱包することができる梱包材を実現する。【解決手段】１枚の段ボール材を折り曲げて組み上げてなる複数の角筒状構造を有するトップパッド１は、良好な緩衝効果や耐衝撃性を有するとともに、梱包対象物である充電器Ｃを嵌入させる嵌入凹部１ｃと、第１の付属品である付属アダプタＡ１を収容するための開口部１ａと、第２の付属品である付属ケーブルＡ２を収容するための切欠状凹部１ｂとを備えているので、このトップパッド１によって、梱包対象物と第１の付属品の２種類の対象物品、梱包対象物と第２の付属品の２種類の対象物品、梱包対象物と第１の付属品と第２の付属品の３つの対象物品を、それぞれ同梱するように梱包することを可能にした。【選択図】図８
2008222297.tif 000002
【特許請求の範囲】
【請求項１】
１枚の段ボール材を折り曲げて組み上げてなる複数の角筒状構造を有する梱包材であって、
前記角筒状構造に囲われてなる、所定の梱包対象物を嵌入させるための嵌入凹部と、
当該梱包材の一の面の一部を切り取って形成した開口の周囲端片を、その梱包材の内側に折り曲げて形成されてなる、その梱包材の内部に第１の付属品を収容するための開口部と、
当該梱包材の一の凸状の角部が内側に凹状に凹まされて形成されてなる、第２の付属品を収容するための切欠状凹部と、
を備えることを特徴とする梱包材。
【請求項２】
１枚の段ボール材を折り曲げて組み上げてなる複数の角筒状構造を有する梱包材であって、
所定の梱包対象物を嵌入させる嵌入凹部と、
当該梱包材の一の面に形成されてなる、その梱包材の内部に第１の付属品を収容するための開口部と、
当該梱包材の一の角部に形成されてなる、第２の付属品を収容するための切欠状凹部と、
を備えることを特徴とする梱包材。
【請求項３】
前記開口部は、前記面の一部を切り取って形成した開口の周囲端片が、その梱包材の内側に折り曲げられて形成されることを特徴とする請求項２に記載の梱包材。
【請求項４】
前記切欠状凹部は、前記角部が内側に凹まされて形成されることを特徴とする請求項２又は３に記載の梱包材。
【発明の詳細な説明】
【技術分野】
【０００１】
本発明は、梱包材に係り、特に梱包対象物を収納箱に収納する際に用いる梱包材に関する。
【背景技術】
【０００２】
従来、大きさや形状の異なる商品嵌合孔を形成した緩衝材を用い、それら商品嵌合孔を使い分けて、サイズの異なる商品を外箱に収納し梱包する技術が知られている（例えば、特許文献１参照。）。
【０００３】
また、折り畳み可能なダンボール紙の所定面に、ＣＤケース及びＤＶＤケースを埋め込むための第１切り込みと、ＭＤディスクを埋め込むための第２切り込みと、ＭＯディスクを埋め込むための第３切り込みとをそれぞれ設けて、梱包するディスクに応じた切り込み部分にディスクを埋め込むとともにそのダンボール紙を折り畳むことによって、サイズの異なるそれぞれのディスクを梱包可能にする梱包材が知られている（例えば、特許文献２参照。）。
【特許文献１】特開平８−３２４６４８号公報
【特許文献２】実用新案登録第３１００３２５号公報
【発明の開示】
【発明が解決しようとする課題】
【０００４】
しかしながら、上記従来技術の場合、サイズの異なる梱包対象物を個々に梱包することはできるものの、２種類以上の梱包対象物を同梱するとともに、それぞれの梱包対象物を衝撃や振動から保護するように梱包することはできなかった。
【０００５】
本発明の目的は、２種類以上の梱包対象物を好適に梱包することができる梱包材を提供することである。
【課題を解決するための手段】
【０００６】
以上の課題を解決するため、請求項１に記載の発明は、１枚の段ボール材を折り曲げて組み上げてなる複数の角筒状構造を有する梱包材であって、
前記角筒状構造に囲われてなる、所定の梱包対象物を嵌入させるための嵌入凹部と、
当該梱包材の一の面の一部を切り取って形成した開口の周囲端片を、その梱包材の内側に折り曲げて形成されてなる、その梱包材の内部に第１の付属品を収容するための開口部と、
当該梱包材の一の凸状の角部が内側に凹状に凹まされて形成されてなる、第２の付属品を収容するための切欠状凹部と、
を備えることを特徴とする。
【０００７】
請求項２に記載の発明は、１枚の段ボール材を折り曲げて組み上げてなる複数の角筒状構造を有する梱包材であって、
所定の梱包対象物を嵌入させる嵌入凹部と、
当該梱包材の一の面に形成されてなる、その梱包材の内部に第１の付属品を収容するための開口部と、
当該梱包材の一の角部に形成されてなる、第２の付属品を収容するための切欠状凹部と、
を備えることを特徴とする。
【０００８】
請求項３に記載の発明は、請求項２に記載の梱包材において、
前記開口部は、前記面の一部を切り取って形成した開口の周囲端片が、その梱包材の内側に折り曲げられて形成されることを特徴とする。
【０００９】
請求項４に記載の発明は、請求項２又は３に記載の梱包材において、
前記切欠状凹部は、前記角部が内側に凹まされて形成されることを特徴とする。
【発明の効果】
【００１０】
請求項１に記載の発明によれば、梱包材は、１枚の段ボール材を折り曲げて組み上げてなる複数の角筒状構造を有するので、梱包材には、それらの角筒状構造による良好な緩衝効果や耐衝撃性が付与されることとなる。なお、角筒状構造とは、例えば、折り曲げられた段ボール材が四面をなし、その四面の内部に空間を確保するようになっている角型の筒構造である。
そして、梱包材は、四方が角筒状構造に囲われてなる、所定の梱包対象物を嵌入させるための嵌入凹部を備えているので、その嵌入凹部に梱包対象物を嵌入させるようにして、梱包材によって梱包対象物を挟み込み、梱包材とともに所定の収納箱（包装箱）に梱包対象物を収納して梱包することによって、その梱包対象物を、収納箱の外部からの衝撃や振動から保護することが可能になる。
【００１１】
特に、梱包材は、梱包材の一の面に形成されてなるその梱包材の内部に第１の付属品を収容するための開口部と、梱包材の一の角部に形成されてなる第２の付属品を収容するための切欠状凹部とを備えているので、この梱包材によって、梱包対象物と第１の付属品の２種類の対象物品、梱包対象物と第２の付属品の２種類の対象物品、梱包対象物と第１の付属品と第２の付属品の３つの対象物品を、それぞれ同梱するように梱包することができる。
つまり、安定した構造を有する梱包材によって、梱包対象物、第１の付属品、第２の付属品は、それぞれ好適に梱包されることとなるので、この梱包材は、２種類以上の梱包対象物を好適に梱包することができる梱包材として使用することができる。
【００１２】
また、梱包材の開口部は、梱包材の一の面の一部を切り取って形成した開口の周囲端片が、その梱包材の内側に折り曲げられて形成されるようになっているので、開口部から梱包材の内部に収容される第１の付属品は、内側に折り曲げられた周囲端片に沿って好適に梱包材の内側に案内されるとともに、第１の付属品の表面に当接する周囲端片によって保持されるようになり、開口部における第１の付属品の姿勢を安定させることができ、その第１の付属品などの梱包対象物を梱包材の内部に好適に収容することが可能になる。
【００１３】
また、梱包材の切欠状凹部は、梱包材の一の凸状の角部が内側に凹状に凹まされて形成されるようになっているので、容易に切欠状凹部を形成することができる。
特に、梱包材は、段ボール材を折り曲げて組み上げてなる複数の角筒状構造を有し、安定した立体構造を有しているので、その梱包材の立体形状は好適に維持されるようになっている。そして、梱包材の角部に形成された切欠状凹部の空間は、梱包材の立体形状とともに好適に維持されるようになっており、その切欠状凹部に第２付属品などの梱包対象物を保護するように収容することが可能になる。
【００１４】
請求項２に記載の発明によれば、梱包材は、１枚の段ボール材を折り曲げて組み上げてなる複数の角筒状構造を有するので、梱包材には、それらの角筒状構造による良好な緩衝効果や耐衝撃性が付与されることとなる。なお、角筒状構造とは、例えば、折り曲げられた段ボール材が四面をなし、その四面の内部に空間を確保するようになっている角型の筒構造である。
そして、梱包材は、所定の梱包対象物を嵌入させる嵌入凹部を備えているので、その嵌入凹部に梱包対象物を嵌入させるようにして、梱包材によって梱包対象物を挟み込み、梱包材とともに所定の収納箱（包装箱）に梱包対象物を収納して梱包することによって、その梱包対象物を、収納箱の外部からの衝撃や振動から保護することが可能になる。
特に、梱包材は、梱包材の一の面に形成されてなるその梱包材の内部に第１の付属品を収容するための開口部と、梱包材の一の角部に形成されてなる第２の付属品を収容するための切欠状凹部とを備えているので、この梱包材によって、梱包対象物と第１の付属品の２種類の対象物品、梱包対象物と第２の付属品の２種類の対象物品、梱包対象物と第１の付属品と第２の付属品の３つの対象物品を、それぞれ同梱するように梱包することができる。
つまり、安定した構造を有する梱包材によって、梱包対象物、第１の付属品、第２の付属品は、それぞれ好適に梱包されることとなるので、この梱包材は、２種類以上の梱包対象物を好適に梱包することができる梱包材として使用することができる。
【００１５】
請求項３に記載の発明によれば、請求項２に記載の発明と同様の効果が得られることは無論のこと、開口部は、梱包材の一の面の一部を切り取って形成した開口の周囲端片が、その梱包材の内側に折り曲げられて形成されるようになっているので、開口部から梱包材の内部に収容される第１の付属品は、内側に折り曲げられた周囲端片に沿って好適に梱包材の内側に案内されるとともに、第１の付属品の表面に当接する周囲端片によって保持されるようになり、開口部における第１の付属品の姿勢を安定させることができ、その第１の付属品などの梱包対象物を梱包材の内部に好適に収容することが可能になる。
【００１６】
請求項４に記載の発明によれば、請求項２又は３に記載の発明と同様の効果が得られることは無論のこと、切欠状凹部は、梱包材の一の凸状の角部が内側に凹状に凹まされて形成されるようになっているので、容易に切欠状凹部を形成することができる。
特に、梱包材は、段ボール材を折り曲げて組み上げてなる複数の角筒状構造を有し、安定した立体構造を有しているので、その梱包材の立体形状は好適に維持されるようになっている。
そして、梱包材の角部に形成された切欠状凹部の空間は、梱包材の立体形状とともに好適に維持されるようになっており、その切欠状凹部に第２付属品などの梱包対象物を保護するように収容することが可能になる。
【発明を実施するための最良の形態】
【００１７】
以下、図を参照して本発明に係る梱包材の実施形態を詳細に説明する。
本実施形態では、所定の梱包対象物である充電器を包装箱に梱包する際に用いる梱包材であって、上下一対の梱包材によって充電器を挟み込むとともに、その梱包材ごと充電器を包装箱に収納する梱包材について説明する。
なお、発明の範囲は、図示例に限定されない。
【００１８】
上下一対の梱包材は、図１、図２に示すように、透明な樹脂製袋に封入された充電器Ｃの上部に被せるように配するトップパッド１と、充電器Ｃの下部を支えるように配するボトムパッド２とからなり、そのトップパッド１とボトムパッド２とによって充電器Ｃを挟み込んで、その充電器Ｃを包装箱Ｂに収納して梱包するようになっている。
【００１９】
トップパッド１は、図３に示すような、１枚の段ボール材を折り曲げて組み上げてなる立体構造を有し、ボトムパッド２は、図４に示すような、１枚の段ボール材を折り曲げて組み上げてなる立体構造を有する。
そして、トップパッド１の下面側には、充電器Ｃの上部を嵌入させる嵌入凹部１ｃ（図７（ｄ）参照）が設けられており、また、ボトムパッド２の上面側には、充電器Ｃの下部を嵌入させる嵌入凹部２ｃが設けられているので、トップパッド１とボトムパッド２とによって挟み込まれた充電器Ｃは、がたつくことなく包装箱Ｂに収納されることとなる。
なお、本発明に係る梱包材の技術は、本実施形態においてはトップパッド１に適用して説明する。
【００２０】
トップパッド１は、図１、図５に示すように、第１の付属品である付属アダプタＡ１が納められた小箱３をトップパッド１の内部に収容するための開口部１ａを備えており、充電器Ｃとともに付属アダプタＡ１を包装箱Ｂに梱包可能になっている。
また、トップパッド１は、図２、図６に示すように、第２の付属品である付属ケーブルＡ２を収容するための切欠状凹部１ｂを備えており、充電器Ｃとともに付属ケーブルＡ２を包装箱Ｂに梱包可能になっている。
【００２１】
また、展開された状態のトップパッド１は、図３に示すように、上面部１０と、上面部１０の一方側である前方向に延在する前板部１１と、上面部１０の他方側である後方向に延在する後板部１２と、上面部１０の左方向に延在する左板部１３と、上面部１０の右方向に延在する右板部１４と、を有している。
【００２２】
上面部１０は、トップパッド１を梱包材として使用する際に、梱包材の上面となる板面部である。
図３に示すように、上面部１０における前端側であって上面部１０と前板部１１の間にはスリット部Ｓ１が形成されている。そして、そのスリット部Ｓ１を一部とする略「只」字形状の切込目１０ａが上面部１０に設けられている。
このスリット部Ｓ１と切込目１０ａが設けられている位置に、開口部１ａが形成されるようになっている。
また、上面部１０における後板部１２側には、スリット部Ｓ２が形成されている。
【００２３】
前板部１１は、図３に示すように、折り線によって区切られてなる５つの面部１１ａ、１１ｂ、１１ｃ、１１ｄ、１１ｅを有している。
そして、第２面部１１ｂから第３面部１１ｃにかけて折り線に対して垂直な一対のスリット部Ｓ３が形成されており、第４面部１１ｄには折り線に対して垂直な一対のスリット部Ｓ４が形成されている。
また、第４面部１１ｄの左端には、折り線を介するように左端片１１４Ｌが延在しており、第４面部１１ｄの右端には、折り線を介するように右端片１１４Ｒが延在している。
また、第５面部１１ｅの自由端側には、前爪部１１５が形成されている。
【００２４】
後板部１２は、図３に示すように、折り線によって区切られてなる３つの面部１２ａ、１２ｂ、１２ｃを有している。
そして、第２面部１２ｂから第３面部１２ｃにかけて折り線に対して垂直な一対のスリット部Ｓ５が形成されている。
また、第３面部１２ｃの自由端側には、後爪部１２３が形成されている。
【００２５】
左板部１３は、図３に示すように、折り線によって区切られてなる３つの面部１３ａ、１３ｂ、１３ｃを有している。
そして、第３面部１３ｃの自由端側には、大中小のサイズをそれぞれ有する大爪部１３３ａ、中爪部１３３ｂ、小爪部１３３ｃが形成されている。
【００２６】
右板部１４は、図３に示すように、折り線によって区切られてなる５つの面部１４ａ、１４ｂ、１４ｃ、１４ｄ、１４ｅを有している。
そして、第５面部１４ｅの自由端側には、大中小のサイズをそれぞれ有する大爪部１４５ａ、中爪部１４５ｂ、小爪部１４５ｃが形成されている。
【００２７】
次に、トップパッド１を立体的に組み上げる工程について説明する。
【００２８】
まず、図７（ａ）に示すように、トップパッド１の前板部１１を折り線に沿って折り曲げて、上面部１０側に折り返す。
そして、前板部１１が折り曲げられてなる角筒状構造の形状を維持するように、第５面部１１ｅの前爪部１１５を上面部１０のスリット部Ｓ２に挿入して、前板部１１を上面部１０に固定する。
なお、第３面部１１ｃと第４面部１１ｄの間の折り線は山折りにし、その他の折り線は谷折りにする。
【００２９】
次いで、図７（ｂ）に示すように、トップパッド１の後板部１２を折り線に沿って、谷折りに折り曲げて、上面部１０側に折り返す。
そして、後板部１２が折り曲げられてなる角筒状構造の形状を維持するように、第３面部１２ｃの後爪部１２３を上面部１０のスリット部Ｓ２に挿入して、後板部１２を上面部１０に固定する。
なお、この状態で、前板部１１の第５面部１１ｅと後板部１２の第３面部１２ｃとは重ね合わされて、上面部１０に対して略垂直に配されるようになっている。
【００３０】
次いで、図７（ｃ）に示すように、左板部１３を折り線に沿って谷折りに折り曲げて、上面部１０側に折り返す。
そして、第３面部１３ｃの大爪部１３３ａと中爪部１３３ｂを、それぞれ前板部１１のスリット部Ｓ３とスリット部Ｓ４に挿入し、また、第３面部１３ｃの小爪部１３３ｃを、後板部１２のスリット部Ｓ５に挿入して、左板部１３が折り曲げられてなる角筒状構造の形状を維持させる。
【００３１】
同様に、図７（ｃ）に示すように、右板部１４を折り線に沿って谷折りに折り曲げて、上面部１０側に折り返す。なお、この段階では、上面部１０と第１面部１４ａの間の折り線と、第２面部１４ｂと第３面部１４ｃの間の折り線は、折り曲げないようにする。
そして、第５面部１４ｅの大爪部１４５ａと中爪部１４５ｂを、それぞれ前板部１１のスリット部Ｓ３とスリット部Ｓ４に挿入し、また、第５面部１４ｅの小爪部１４５ｃを、後板部１２のスリット部Ｓ５に挿入して、右板部１４が折り曲げられてなる角筒状構造の形状を維持させる。
【００３２】
そして、図７（ｄ）に示すように、組み上げられたトップパッド１の下面側に、前板部１１の第３面部１１ｃと第４面部１１ｄと、後板部１２の第３面部１２ｃと、左板部１３の第３面部１３ｃ（中爪部１３３ｂ）と、右板部１４の第５面部１４ｅ（中爪部１４５ｂ）とによって囲われてなる嵌入凹部１ｃが形成されるようになっている。
特に、嵌入凹部１ｃは、四方を角筒状構造によって囲われているので、嵌入凹部１ｃに収容される充電器Ｃなどの梱包対象物を、外部から作用する衝撃や振動から保護するように収容することができる。なお、嵌入凹部１ｃを構成する前板部１１の第４面部１１ｄは上面部１０から離間しており、その第４面部１１ｄと上面部１０の間に空間を有しているので、嵌入凹部１ｃに収容される充電器Ｃなどの梱包対象物を、より良好に保護するように収容することができる。
なお、この組み上げられたトップパッド１を、図７（ｄ）に示すように、裏返した状態が、トップパッド１の通常姿勢となる。
【００３３】
そして、図８に示すトップパッド１において、トップパッド１の上面となる上面部１０における切込目１０ａに沿って段ボール材を切り裂き、上面部１０の一部である矩形片１００を切り取って矩形状の開口を形成し、その開口の縁を成す３つの周囲端片１０１、１０２、１０３をトップパッド１の内側に折り曲げることによって、図５に示すように、トップパッド１の一の面に付属アダプタＡ１を納めた小箱３を収容するための開口部１ａを形成することができる。
【００３４】
このトップパッド１の立体形状は、段ボール材を折り曲げて組み上げてなる複数の角筒状構造を有しており、特に、幾つかの角筒状構造が互いに略垂直に交わるように組まれているので、トップパッド１に強い力が作用した場合でも、トップパッド１は変形し難くなっており、トップパッド１の内側の空間は好適に維持されるようになっている。
つまり、開口部１ａを通じてトップパッド１の内部に収容する小箱３や小箱３の内容物（例えば、付属アダプタＡ１）を、トップパッド１外部からの衝撃や振動から保護することができる。
更に、開口部１の縁には、トップパッド１の内側に折り曲げられた３つの周囲端片１０１、１０２、１０３が備えられているので、開口部１ａからトップパッド１の内部に入れられる小箱３は、その周囲端片１０１、１０２、１０３によって好適に内側に案内されるとともに、小箱３の表面に当接する周囲端片１０１、１０２、１０３によって保持されるようになり、その小箱３の姿勢が安定しやすくなっている。
【００３５】
また、図８に示すトップパッド１における上面部１０と右板部１４がなす凸状の角部を内側に凹ますことによって、図６に示すように、トップパッド１の一の角部に付属ケーブルＡ２を収容するための切欠状凹部１ｂを形成することができる。
具体的に、切欠状凹部１ｂは、上面部１０と右板部１４の第１面部１４ａとの間の折り線と、右板部１４の第２面部１４ｂと第３面部１４ｃとの間の折り線を、それぞれ谷折りに折り曲げて、右板部１４の第１面部１４ａと第２面部１４ｂとの間の折り線を山折りに折り曲げることによって、形成することができる。
【００３６】
このトップパッド１の立体形状は、段ボール材を折り曲げて組み上げてなる複数の角筒状構造を有しており、特に、幾つかの角筒状構造が互いに略垂直に交わるように組まれているので、トップパッド１は安定した構造を有しており、その立体形状は好適に維持されるようになっている。
つまり、トップパッド１の角部に形成された切欠状凹部１ｂの空間は、好適に維持されるようになっており、その切欠状凹部１ｂに付属品などの梱包対象物（例えば、付属ケーブルＡ２）を保護するように収容することができる。
【００３７】
このように組み上げられて形成されたトップパッド１と、同様に立体的に組み上げられたボトムパッド２とによって、充電器Ｃを上下から挟み込むことが可能になっている。
【００３８】
なお、展開された状態のボトムパッド２は、図４に示すように、下面部２０と、下面部２０の一方側である前方向に延在する前板部２１と、下面部２０の他方側である後方向に延在する後板部２２と、下面部２０の左方向に延在する左板部２３と、下面部２０の右方向に延在する右板部２４と、を有している。
そして、前板部２１と後板部２２と左板部２３と右板部２４とを、それぞれ折り線に沿って折り曲げて、ボトムパッド２を組み上げる工程はトップパッド１とほぼ同じであり、複数の角筒状構造からなるボトムパッド２の立体構造もトップパッド１に類似しているので、ボトムパッド２の組み上げ工程や構造に関する説明は省略する。
【００３９】
このように、上下一対の梱包材であるトップパッド１及びボトムパッド２は、段ボール材を折り曲げて組み上げてなる複数の角筒状構造を有するとともに、特に、幾つかの角筒状構造が互いに略垂直に交わるように組まれているので、このトップパッド１及びボトムパッド２は、その角筒状構造による良好な緩衝効果や耐衝撃性を有する。
つまり、このトップパッド１とボトムパッド２によって挟み込み、トップパッド１とボトムパッド２とともに包装箱Ｂに収納して梱包した充電器Ｃを、包装箱Ｂ外部からの衝撃や振動から保護することが可能になる。
【００４０】
特に、トップパッド１は、開口部１ａを通じてトップパッド１の内部に付属アダプタＡ１を納めた小箱３を保護するように収容することができるので、このトップパッド１を用いれば、充電器Ｃと付属アダプタＡ１の２種類の梱包対象物を包装箱Ｂに好適に同梱して梱包することができる。
また、トップパッド１は、切欠状凹部１ｂに付属ケーブルＡ２を保護するように収容することができるので、このトップパッド１を用いれば、充電器Ｃと付属ケーブルＡ２の２種類の梱包対象物を包装箱Ｂに好適に同梱して梱包することができる。
【００４１】
更に、トップパッド１とボトムパッド２によって充電器Ｃを包装箱Ｂに収納して梱包する際に、開口部１ａを通じてトップパッド１の内部に付属アダプタＡ１を納めた小箱３を収容するとともに、切欠状凹部１ｂに付属ケーブルＡ２を収容することによって、充電器Ｃと付属アダプタＡ１と付属ケーブルＡ２の３種類の梱包対象物を包装箱Ｂに好適に同梱して梱包することが可能になる。
【００４２】
従って、本発明に係る梱包材であるトップパッド１は、２種類以上の梱包対象物を好適に梱包することができる梱包材であるといえる。
【００４３】
なお、以上の実施の形態においては、本発明に係る梱包材をトップパッド１に適用して説明したが、本発明はこれに限定されるものではなく、本発明に係る梱包材をボトムパッド２に適用してもよい。
また、本発明に係る梱包材を上下一対のトップパッド１とボトムパッド２に適用することに限らず、梱包対象物を左右から挟み込む左右一対のサイドパッドや、梱包対象物を前後から挟み込む前後一対のサイドパッドに適用してもよい。
【００４４】
また、角筒状構造とは、折り曲げられた段ボール材が少なくとも三面をなし、その段ボール材によって、その内部に空間を確保するようになっている角型の筒構造であれば、任意の形状であってよい。
【００４５】
また、その他、具体的な細部構造等についても適宜に変更可能であることは勿論である。
【図面の簡単な説明】
【００４６】
【図１】本発明に係るトップパッドを用いて充電器を包装箱に収納する状態を斜視にて示す分解図である。
【図２】本発明に係るトップパッドを用いて充電器を包装箱に収納する状態を斜視にて示す分解図である。
【図３】トップパッドが折り上げられる前の状態を示す展開図である。
【図４】ボトムパッドが折り上げられる前の状態を示す展開図である。
【図５】トップパッドを示す斜視図であって、開口部を使用する状態を示している。
【図６】トップパッドを示す斜視図であって、切欠状凹部を使用する状態を示している。
【図７】トップパッドを折り曲げて組み上げる工程を示す説明図であり、前板部の折り曲げ工程（ａ）、後板部の折り曲げ工程（ｂ）、左板部と右板部の折り曲げ工程（ｃ）、トップパッド完成図（ｄ）を示している。
【図８】トップパッドの完成体を示す拡大図である。
【符号の説明】
【００４７】
１      トップパッド（梱包材）
１ａ    開口部
１ｂ    切欠状凹部
１ｃ    嵌入凹部
１０    上面部
１１    前板部
１２    後板部
１３    左板部
１４    右板部
２      ボトムパッド
２ｃ    嵌入凹部
３      小箱
Ａ１    付属アダプタ（第１の付属品）
Ａ２    付属ケーブル（第２の付属品）
Ｂ      包装箱
Ｃ      充電器（梱包対象物）
【図１】
2008222297.tif 000003
【図２】
2008222297.tif 000004
【図３】
2008222297.tif 000005
【図４】
2008222297.tif 000006
【図５】
2008222297.tif 000007
【図６】
2008222297.tif 000008
【図７】
2008222297.tif 000009
【図８】
2008222297.tif 000010